(57)【要約】【課題】再生する番組との関連で操作が制限される番組再生装置，番組再生システム，および番組再生方法を提供する。【解決手段】番組再生装置が，番組を再生する再生部と，操作情報を受け付ける受付部と，前記操作情報に基づく操作を実行する実行部と，前記番組と，操作が制限される範囲との対応関係を表すテーブルを記憶する記憶部と，前記テーブルに基づいて，前記番組の再生時における，操作の実行を制限する制限部と，前記番組の再生終了に対応して，前記操作の制限を解除する制限解除部と，を具備する。【選択図】図３
2009290576.tif 000002
【特許請求の範囲】
【請求項１】
番組を再生する再生部と，
操作情報を受け付ける受付部と，
前記操作情報に基づく操作を実行する実行部と，
前記番組と，操作が制限される範囲との対応関係を表すテーブルを記憶する記憶部と，
前記テーブルに基づいて，前記番組の再生時における，操作の実行を制限する制限部と，
前記番組の再生終了に対応して，前記操作の制限を解除する制限解除部と，
を具備することを特徴とする番組再生装置。
【請求項２】
前記操作が制限される範囲が，番組の変更，異なるジャンルの番組への変更，電源のオフ，音量の変更，番組表の表示のいずれか，またはこれらの組み合わせである
ことを特徴とする請求項１記載の番組再生装置。
【請求項３】
前記再生される番組が，放送中の番組，視聴予約された番組，録画された番組のいずれかである
ことを特徴とする請求項１または２に記載の番組再生装置。
【請求項４】
番組を録画する録画部と，
前記番組の録画時における，操作の実行を制限する第２の制限部と，
前記番組の録画終了に対応して，前記操作の制限を解除する第２の制限解除部と，
をさらに具備することを特徴とする請求項１乃至３のいずれか１項に記載の番組再生装置。
【請求項５】
前記受付部が，遠隔操作装置からの操作情報を受信する
ことを特徴とする請求項１乃至４のいずれか１項に記載の番組再生装置。
【請求項６】
請求項１乃至５のいずれか１項に記載の番組再生装置と，
前記番組再生装置に操作情報を送信する遠隔操作装置と，
を具備することを特徴とする番組再生システム。
【請求項７】
番組を再生するステップと，
操作情報を受け付けるステップと，
前記番組と，操作が制限される範囲との対応関係を表すテーブルに基づいて，前記番組の再生時における，操作の実行を制限するステップと，
前記番組の再生終了に対応して，前記操作の制限を解除するステップと，
を具備することを特徴とする番組再生方法。
【発明の詳細な説明】
【技術分野】
【０００１】
本発明は，放送番組を再生する番組再生装置，番組再生システム，および番組再生方法に関する。
【背景技術】
【０００２】
デジタルテレビ等の放送を再生する番組再生装置が用いられている。ここで，映像機器でのリモコンによる操作を無効とし，第三者による，ユーザの意図しない操作を防止する技術が開示されている（特許文献１参照）。
【特許文献１】特開２００６−２１７２４０号公報
【発明の開示】
【発明が解決しようとする課題】
【０００３】
ここで，番組を再生しているときには，再生している番組との関連により操作を制限することが好ましい場合がある。例えば，再生中の番組の変更を制限する一方，音量の調節を許容することが考えられる。
しかしながら，前述の技術では，再生している番組との関連による操作の制限は困難である。
上記に鑑み，本発明は，再生する番組との関連で操作が制限される番組再生装置，番組再生システム，および番組再生方法を提供することを目的とする。
【課題を解決するための手段】
【０００４】
本発明の一態様に係る番組再生装置は，番組を再生する再生部と，操作情報を受け付ける受付部と，前記操作情報に基づく操作を実行する実行部と，前記番組と，操作が制限される範囲との対応関係を表すテーブルを記憶する記憶部と，前記テーブルに基づいて，前記番組の再生時における，操作の実行を制限する制限部と，前記番組の再生終了に対応して，前記操作の制限を解除する制限解除部と，を具備する。
【０００５】
本発明の一態様に係る番組再生方法は，番組を再生するステップと，操作情報を受け付けるステップと，前記番組と，操作が制限される範囲との対応関係を表すテーブルに基づいて，前記番組の再生時における，操作の実行を制限するステップと，前記番組の再生終了に対応して，前記操作の制限を解除するステップと，を具備する。
【発明の効果】
【０００６】
本発明によれば，再生する番組との関連で操作が制限される番組再生装置，番組再生システム，および番組再生方法を提供できる。
【発明を実施するための最良の形態】
【０００７】
以下，図面を参照して，本発明の実施の形態を詳細に説明する。
図１は，本発明の一実施形態に係る放送受信装置１００を表すブロック図である。放送受信装置１００は，録画機能付きのデジタルテレビに対応し，番組再生装置として機能する。
【０００８】
放送受信装置１００は，アンテナ１０１，チューナ・復調部１０２，デスクランブラ１０３，多重分離部（ＤＥＭＵＸ）１０４，映像・音声デコーダ１０５ａ，ＯＳＤ部１０５ｂ，モニタ１０６，スピーカ１０７，ＥＰＧ処理部１０８，録画処理部１０９，制御部１１１，無線受信部１１２，キー入力部１１３，記憶部１２０を有する。
【０００９】
アンテナ１０１は，放送局から送信される放送信号を受信する。チューナ・復調部１０２は，アンテナ１０１で受信された放送信号から所望のチャンネルを選局し，復調して，トランスポートストリーム（以下，「ＴＳ」と記す）を生成する。生成されたＴＳはデスクランブラ１０３に出力される。このＴＳは，スクランブル化放送信号，ＳＩ／ＰＳＩを含む多重化された信号である。スクランブル化放送信号は，例えば，ＭＰＥＧ−２の放送信号がスクランブル化されたものである。
【００１０】
ＳＩ／ＰＳＩは，番組配列情報である。ＳＩは，ＳＤＴ（Service Definition Table）やＥＩＴ（Event Information Table）等を含む。ＳＤＴは，サービス（編成チャンネル）の詳細情報を記述するものであり，チャンネルの名称等を含む。ＥＩＴは，サービス内の番組の詳細情報を記述するものであり，番組名（番組の名称）等を含む。ＰＳＩは，多重された複数の番組の構成等を記述したものであり，ＰＡＴ（Program Association Table），ＰＭＴ（Program Map Table）等を含む。
【００１１】
デスクランブラ１０３は，チューナ・復調部１０２から入力されたＴＳをデスクランブルして多重分離部１０４へ出力する。即ち，ＴＳ中のスクランブル化放送信号がデスクランブルされて，放送信号が生成される。
【００１２】
多重分離部（ＤＥＭＵＸ）１０４は，デスクランブラ１０３から入力されたＴＳから放送信号，ＳＩ／ＰＳＩ等を分離する。また，多重分離部１０４は，分離した放送信号を映像・音声デコーダ１０５ａへ出力する。
【００１３】
映像・音声デコーダ１０５ａは，多重分離部１０４から入力された放送信号をデコードして，モニタ１０６，スピーカ１０７へと出力する。映像・音声デコーダ１０５ａは，番組を再生する再生部として機能する。
ＯＳＤ（On Screen Display）部１０５ｂは，番組と重畳して，操作制限設定メニュー，番組表（放送番組表，視聴予約番組表，録画予約番組表，録画済番組表）等をモニタ１０６に表示させる。
モニタ１０６は，ＣＲＴ，液晶表示装置等の表示装置である。スピーカ１０７は，音声出力装置である。
【００１４】
ＥＰＧ処理部１０８は，多重分離部１０４で分離されたＳＩデータから放送番組表（ＥＰＧ（Electronic Program Guide：電子番組ガイド））を構成し，さらに放送番組表の画像信号を生成する。この画像信号によってモニタ１０６に放送番組表が表示される。利用者は放送番組表を用いて番組を確認，予約できる。なお，放送番組表は主にＥＩＴを用いて作成される。
【００１５】
録画処理部１０９は，多重分離部１０４，あるいは映像・音声デコーダ１０５ａから出力される放送信号を用いて，放送を録画し，再生する。録画処理部１０９は，内蔵するメモリ，ハードディスク等の記憶部，あるいは外部の記憶装置や録画装置に放送番組を録画する。この録画の予約に放送番組表を利用できる。
【００１６】
制御部１１１は，ＣＰＵ（Central Processing Unit：中央演算装置）から構成され，放送受信装置１００全体を制御する。制御部１１１は以下の（１）〜（５）として機能する。
【００１７】
（１）制限対象番組生成部
制御部１１１は，放送番組表を用いて，操作制限の対象となる番組（制限対象番組）を表す制限対象番組テーブルＴ１を生成する。
【００１８】
図２は，制限対象番組テーブルＴ１の一例を表す模式図である。番組識別子，タイトル，チャンネル，放送時間，ジャンルが対応して表される。「番組識別子」は，番組を互いに識別するための情報である。番組識別子は，番組を互いに識別できれば足り，例えば，（１）番組のタイトル，（２）チャンネルと放送時間の組み合わせを利用できる。「タイトル」はその番組の名称である。「放送時間」は，その番組が放送される時間，例えば，放送の開始時間と終了時間の組み合わせである。「ジャンル」は，その番組の種別，例えば，ニュース，ドラマ，ドキュメンタリー，教養，映画，スポーツ，音楽，劇場中継，趣味，アニメの区分を意味する。
【００１９】
ここで，制限対象番組テーブルＴ１は，番組識別子，タイトル，チャンネル，放送時間，ジャンルの全てが必ずしも必要な訳ではない。例えば，（１）番組識別子，ジャンルの組み合わせ，（２）番組識別子のみとすることが可能である。
【００２０】
制限対象番組は，視聴中（放送中），視聴予約，録画済，あるいは録画予約された番組である。即ち，番組テーブルＴ１は，番組が視聴中，視聴予約，録画済，あるいは録画予約のいずれに対応するかによって，制限対象番組テーブルＴ１１〜Ｔ１４に区分しても良い。視聴予約，録画済，あるいは録画予約の場合には，視聴予約番組表，録画済番組表，あるいは録画予約番組表を制限対象番組テーブルＴ１２〜Ｔ１４と兼用できる。ここで，視聴予約番組表，録画済番組表，あるいは録画予約番組表は，視聴予約，録画済，あるいは録画予約された番組のリストを表し，図２の様に，番組識別子，タイトル，チャンネル，放送時間，ジャンルの組み合わせで表現できる。
【００２１】
（２）操作制限テーブル生成部
制御部１１１は，操作制限の内容を表す操作制限テーブルＴ２を生成する。
図３は，操作制限テーブルＴ２の一例を表す模式図である。この操作制限テーブルＴは，番組の区分，制限条件，制限範囲，制限の有無を対応して表す。
【００２２】
「番組の区分」は，番組が視聴中（放送中），視聴予約，録画済，あるいは録画予約のいずれに対応するかを表す。
「制限条件」は，操作を制限する条件を表し，「番組の再生中」，「番組の録画中」が挙げられる。番組が視聴中（放送中），視聴予約，録画済の場合，「番組の再生中」に操作が制限される。番組が録画予約される場合，「番組の録画中」に操作が制限される。
【００２３】
「制限範囲」は，操作が制限する範囲を表し，「番組の変更」，「ジャンル外の番組への変更」が挙げられる。これらに加えて，音量，電源，番組表の表示等を併せて制限対象に加えても良い。即ち，番組の変更，異なるジャンルの番組への変更，電源のオフ，音量の変更，番組表の表示のいずれか，またはこれらの組み合わせを制限範囲とすることができる。
【００２４】
「制限の有無」は，操作が制限されるか否かを表し，「制限有り」，「制限無し」に区分される。「番組の区分」毎に制限の有無を設定できる。
【００２５】
（３）実行部
制御部１１１は，無線受信部１１２またはキー入力部１１３で受け付けられた操作情報に基づく操作を実行する。この操作として，番組の変更，異なるジャンルの番組への変更，電源のオフ，音量の変更，番組表の表示を挙げることができる。
【００２６】
（４）制限部
制御部１１１は，操作制限テーブルＴ２に基づき，番組の再生時または録画時での操作の実行を制限する。操作制限テーブルＴ２に基づき，番組の変更，異なるジャンルの番組への変更，電源のオフ，音量の変更，番組表の表示のいずれか，またはこれらの組み合わせが制限される。
【００２７】
（５）制限解除部
制御部１１１は，番組の再生時または録画時での操作の制限を解除する。番組の再生または録画の終了に対応して，操作制限テーブルＴ２の「制限の有無」の欄を書き換えることで，操作の制限を解除する。この書き換えに換えて，操作制限テーブルＴ２の一部または全部を消去しても良い。
【００２８】
無線受信部１１２およびキー入力部１１３は，操作情報を受け付ける受付部として機能する。
【００２９】
無線受信部１１２は，リモコン１３１から無線（例えば，赤外線）で送信される操作情報を受信する。リモコン１３１は，各種操作用のボタン（例えば，「カーソル」ボタン，「青」ボタン，「赤」ボタン，「決定」ボタン，「戻り」ボタン）を有し，操作情報の入力が可能である。リモコン１３１は，操作情報，操作制限情報，操作解除情報の入力および送信が可能であり，遠隔操作装置として機能する。操作制限あるいは操作解除の入力は，専用のボタン（例えば，ロックボタン，解除ボタン），複数のボタンの組み合わせのいずれでも良い。
【００３０】
キー入力部１１３は，例えば，放送受信装置１００本体の操作ボタンである。また，キー入力部１１３として，例えば，キーボードのようなユーザ操作情報を入力する入力装置も利用可能である。キー入力部１１３は，リモコン１３１と同様に，各種の操作情報，操作制限情報，操作解除情報の入力が可能である。可能である。
【００３１】
記憶部１２０は，ＲＯＭ（Read Only Memory）１２１，ＲＡＭ（Random Access Memory）１２２，ＮＶＲＡＭ（Non Volatile RAM：不揮発性メモリ）１２３で構成される。ＲＯＭ１２１は，制御部１１１が動作するためのプログラム等を記憶する。ＲＡＭ１２２は，制御部１１１の動作時に利用され，プログラム，データ等が書き込まれる。ＮＶＲＡＭ１２３は，制限対象番組テーブルＴ１，操作制限テーブルＴ２を記憶する。
【００３２】
（放送受信装置１００の動作）
図４は，放送受信装置１００の動作手順の一例を表すフロー図である。この例では，放送番組表を用いて視聴あるいは録画予約する番組を選択している。
【００３３】
（１）操作制限の設定（ステップＳ１１）
リモコン１３１，キー入力部１１３を用いて，操作制限情報が入力される（操作制限の設定）。例えば，次のａ〜ｄの場合に操作制限を設定できる。
【００３４】
ａ．番組の視聴中（放送中）
放送番組の視聴中に操作制限を設定できる。具体的には，放送番組の再生中に，操作制限用のボタン（ロックボタン）を操作する。このとき，制限範囲を選択できる。例えば，（１）他の番組への変更，（２）他のジャンルの番組への変更を選択できる。  既述のように，音量の変更，電源のＯＦＦ，番組表の表示等を併せて制限対象に加えても良い。
【００３５】
ｂ．番組の視聴予約時
番組の視聴予約時に操作制限を設定できる。具体的には，番組の視聴予約時に，操作制限用の情報を入力する。このとき，制限範囲を選択できる。
【００３６】
ｃ．録画番組の再生時
録画番組の再生時に操作制限を設定できる。具体的には，録画番組の再生中に，操作制限用のボタン（ロックボタン）を操作する。この結果，再生中の番組の変更等の操作が制限される。このとき，制限内容を選択できる。
【００３７】
ｄ．番組の録画予約時
番組の録画予約時に操作制限を設定できる。具体的には，番組の録画予約時に，操作制限用の情報を入力する。
【００３８】
この設定の結果，制限対象番組テーブルＴ１，操作制限テーブルＴ２が生成され生成され，ＮＶＲＡＭ１２３に記憶される。この操作制限テーブルＴ２の設定した条件の「制限の解除」の欄には，「制限有り」と記載される。
【００３９】
なお，既述のように，番組の視聴予約時，録画番組の再生時，番組の録画予約時においては，視聴予約番組表，録画済番組表，あるいは録画予約番組表がそれぞれ作成されるので，制限対象番組テーブルＴ１の生成を省略できる。
【００４０】
（２）番組の再生／録画中での操作の制限（ステップＳ１２，Ｓ１３）
操作制限テーブルＴ２に基づいて，再生，録画中での操作が制限される。
視聴中（放送中），視聴予約，録画済み，録画中番組の再生時に番組の変更操作が制限される。例えば，リモコン等を用いて，ユーザがチャンネルを変更するための操作をなした場合に，この操作が無視される。
【００４１】
ここで，同一ジャンルでの番組の変更が許容される場合，制限対象番組テーブルＴ１と電子番組表での「ジャンル」が比較される。即ち，制限対象番組テーブルＴ１でのジャンルと，電子番組表での，変更しようとする番組のジャンルが一致すれば，番組の変更が許容される。
【００４２】
このようにして番組が変更された場合，制限対象番組テーブルＴ１を書き換えることができる。この場合，制限対象番組テーブルＴ１の番組識別子，タイトル，チャンネル，放送時間の全部または一部が変更される。この結果，操作が制限される時間（放送時間）が変更される可能性がある。番組を変更しても制限対象番組テーブルＴ１を書き換えないようにしても良い。この場合，操作が制限される時間（放送時間）は変更されない。
【００４３】
（３）操作制限の解除（ステップＳ１４）
制限解除情報を入力することで（例えば，操作制限解除用のボタンを押す），操作制限が解除される。このとき，制限解除情報の入力に伴い，操作制限テーブルＴ２が書き換えられる。
【００４４】
（４）再生／録画の終了（ステップＳ１５）
再生／録画している番組が終了すると，操作の制限が解除される。このとき，制限解除情報の入力に伴い，操作制限テーブルＴ２が書き換えられる。番組の終了は，例えば，制限対象番組テーブルＴ１での番組識別子と，視聴中（放送中）の番組の番組識別子の不一致により判断できる。視聴中の放送信号に含まれる番組を表す情報を番組識別子として利用できる。
【００４５】
（その他の実施形態）
本発明の実施形態は上記の実施形態に限られず拡張，変更可能であり，拡張，変更した実施形態も本発明の技術的範囲に含まれる。
例えば，本実施形態の放送受信装置１００は，録画機能付きのデジタルテレビに対応する。しかし，本実施形態は，テレビだけでなくハードディスクレコーダ等の録画機器や，チューナなどにも適用できる。
また放送については，電波を使ったテレビ放送以外に，通信ネットワークを通じた放送（いわゆるＩＰ放送）にも適用できる。
【図面の簡単な説明】
【００４６】
【図１】本発明の一実施形態に係る放送受信装置１００を表すブロック図である。
【図２】制限対象番組テーブルＴ１の一例を表す模式図である。
【図３】操作制限テーブルＴ２の一例を表す模式図である。
【図４】放送受信装置１００の動作手順の一例を表すフロー図である。
【符号の説明】
【００４７】
１００…放送受信装置，１０１…アンテナ，１０２…チューナ・復調部，１０３…デスクランブラ，１０４…多重分離部（ＤＥＭＵＸ），１０５ａ…映像・音声デコーダ，１０５ｂ…ＯＳＤ部，１０６…モニタ，１０７…スピーカ，１０８…ＥＰＧ処理部，１０９…録画処理部，１１１…制御部，１１２…無線受信部，１１３…キー入力部，１２０…記憶部，１２１…ＲＯＭ，１２２…ＲＡＭ，１２３…ＮＶＲＡＭ，１３１…リモコン
【図１】
2009290576.tif 000003
【図２】
2009290576.tif 000004
【図３】
2009290576.tif 000005
【図４】
2009290576.tif 000006